(57)【要約】本発明は、気密材のシースで覆われた吸収材のストリップを備え、該シースの下半部に少なくとも１つの穴を備え、染料がストリップの表面の５０％以下に対して塗布されている時間測定装置に関する。本発明は時間測定装置の使用方法にも関する。【選択図】図１
2018522254.tif 000002
【特許請求の範囲】
【請求項１】
時間測定装置（１０）において、
気密材のシース（１４）で覆われた吸収材のストリップ（１２）を備え、前記シース（１４）が該シース（１４）の下半部に少なくとも１つの穴（１６）を有し、且つ、染料（１８）が前記ストリップ（１２）の表面の９０％以下に対して塗布されている、ことを特徴とする時間測定装置（１０）。
【請求項２】
前記染料（１８）が、前記ストリップの前面（２０）の表面積の１〜１０％の範囲で前記ストリップ（１２）の前面（２０）に塗布されている、ことを特徴とする請求項１に記載の時間測定装置（１０）。
【請求項３】
前記染料（１８）が食品着色料である、ことを特徴とする請求項１または２に記載の時間測定装置（１０）。
【請求項４】
前記少なくとも１つの穴（１６）が、前記シース（１４）の下半部に配置されている、ことを特徴とする請求項１乃至３のいずれか１項に記載の時間測定装置（１０）。
【請求項５】
前記少なくとも１つの穴（１６）の大きさが、前記シース（１４）の表面積の０．０５〜１％の範囲である、ことを特徴とする請求項１乃至４のいずれか１項に記載の時間測定装置（１０）。
【請求項６】
前記染料（１８）が、前記ストリップ（１２）の縁から少なくとも１ｍｍ、好ましくは２ｍｍの距離において前記ストリップ（１２）に配置されている、ことを特徴とする請求項１乃至５のいずれか１項に記載の時間測定装置（１０）。
【請求項７】
前記ストリップ（１２）と前記シース（１４）の重量比が、４：１〜１：４の範囲である、ことを特徴とする請求項１乃至６のいずれか１項に記載の時間測定装置（１０）。
【請求項８】
前記ストリップ（１２）の長さと幅のアスペクト比が、２：１〜２０００：１の範囲である、ことを特徴とする請求項１乃至７のいずれか１項に記載の時間測定装置（１０）。
【請求項９】
請求項１乃至８のいずれか１項に記載の少なくとも１つの時間測定装置（１０）を備える茶パック。
【請求項１０】
請求項１乃至８のいずれか１項に記載の時間測定装置（１０）の下端部が液体に浸漬される、ことを特徴とする時間測定方法。
【発明の詳細な説明】
【技術分野】
【０００１】
本発明は、時間測定装置、茶パック、時間測定装置の使用方法に関する。
【背景技術】
【０００２】
お茶を用意したい場合、茶葉や他の植物抽出物を水から取り出す前に、新たに淹れたお茶を煎じる煎じ時間が重要である。茶葉はよくティーバッグに詰められる。この時間は、従来より時計やアラーム時計で測ってきた。この欠点は、一方では、時計やアラーム時計はかなり高価であり、盗難される可能性があることである。他方では、使用者は飲みたいお茶を煎じる最適時間を知っていなければならない。
【０００３】
ＤＥ  １  ９８  ３９  ７０５  Ａ１は、ペーパークロマトグラフィーのためのシステムを記載している。
【０００４】
ＳＥ  ３８５３３４  Ｂは、ペーパークロマトグラフィーのためのシステムを記載している。 
【０００５】
ＧＢ  １，０２６，４５１  Ａは、化学分析のためのシステムを記載している。
【発明の概要】
【発明が解決しようとする課題】
【０００６】
本発明の課題は、安価で、お茶を煎じるべき時間を便利に示す時間測定装置を提供することである。
【課題を解決するための手段】
【０００７】
本発明の根底となる課題は、気密材のシースで覆われた吸収材のストリップを備え、前記シースが該シースの下半部に少なくとも１つの穴を有し、且つ、染料が前記ストリップの表面の９０％以下に対して塗布されている時間測定装置を特徴とする第１実施形態において解決される。
【０００８】
例えば、そのようなストリップは、新たにお茶を淹れたティーカップに該ストリップの下端部が挿入されると、お茶は穴を通ってストリップに吸収され、毛管力によってストリップ内を上方に移動する。そのようにして、お茶は、例えば穴付近に塗布された染料を途中で取り込むか、または、例えばｐＨ値を用いて、お茶は予め塗布されたｐＨ指示薬染料の色をある時点で変化させる。いずれにせよ、使用者は、お茶が上昇してくる高さを染料によって簡単に追従することができる。例えば、非常に特殊なお茶を５分間煎じなければならない場合、例えば、お茶が５分で到達する高さにマークが付けられ、それにより使用者は、お茶が５分間煎じられたことを容易に認識することができる。その時、使用者はストリップとティーバッグを取り出すことができ、最適に煎じられたお茶を用意したと確信する。当然のことながら、この説明は特許請求の範囲の保護範囲を限定するものではない。卵の茹で時間を測る等、他にも多く適用される。
【０００９】
好ましくは、本発明に係る時間測定装置は、液体が該時間測定装置の穴と接触すると、所定の反復可能時間内に、優先的に印が付けられた対象領域へと液体がストリップ内を上昇するのに好適である。
【００１０】
技術水準と対照的に、本発明に係る時間測定装置は、時間または持続時間の表示のみに好適でなければならない。本発明に係る時間測定装置は、化学分析の実行に好適でなくてもよい。本発明の時間測定装置は、好ましくは、新しく淹れた一杯のお茶への使用に好適である。
【００１１】
時間測定装置
本発明に係る時間測定装置の長さは、好ましくは５ｃｍ〜２０ｃｍである。長さがこれより短いと、時間測定装置は不正確になり過ぎる。長さがこれより長いと、非常に厚いストリップが必要となり、茶パックに容易に詰められなくなる。本発明に係る時間測定装置の幅は、好ましくは０．１〜６ｃｍの範囲である。幅がこれより狭いと穴を開けることが困難になり、使用者は時間が読み難くなる。本発明に係る時間測定装置の厚さ（深さ）は、好ましくは０．００１〜０．２ｃｍの範囲である。
【００１２】
ストリップ
本発明に係るストリップの長さは、好ましくは５〜２０ｃｍである。長さがこれより短いと、時間測定装置は不正確になり過ぎる。長さがこれより長いと、非常に厚いストリップが必要となり、容易に詰められなくなる。本発明に係るストリップの幅は、好ましくは０．１〜６ｃｍの範囲である。幅がこれより狭いと穴を開けることが困難になり、使用者は時間が読み難くなる。本発明に係るストリップの厚さ（深さ）は、好ましくは０．００１〜０．２ｃｍの範囲である。
【００１３】
ストリップは、例えば屈曲させることができる。ストリップは、らせん形でも利用可能である。例えば、シースは矩形状を有することができ、該シース内のストリップは扁平らせん形として形成される。シースは個々のらせん間の空間で取り除くか、または切り目を入れることができる。これにより、時間測定装置の寸法を、ティーバッグ、茶濾器またはティーバッグの使い捨て包装等、既存の包装形態に適合させることができるという利益がある。本発明に係る時間測定装置のストリップは、好ましくは任意の幾何学形状とすることができ、長さと幅のアスペクト比は、１．２：１〜２０００：１、特に２：１〜１０００：１の範囲である。ストリップは、例えば楕円形または矩形とすることができる。特に好ましくは、本発明に係る時間測定装置のストリップは、直方体形状または矩形形状を有する。これにより、ストリップが、例えば一杯のお茶に浸漬され、且つ該ストリップの一部が液体から突き出ることで、使用後にストリップを容易に取り出すことができるという特別な利益がある。
【００１４】
吸収材は、好ましくは不織布または紙であり、特に好ましくは吸取り紙である。
【００１５】
本発明に係るストリップの液体量は、好ましくは１重量％以下である。本発明に係るストリップは、特に好ましくは乾燥しており、すなわちストリップは液体を含まない。
【００１６】
好ましくは、少なくとも１つの可視マークがストリップおよび／または時間測定装置に付けられている。このマークは、好ましくは所定の持続時間を示すことができる。マークは、好ましくはストリップにおいてお茶が上昇する高さに一致し、使用したお茶が最適な時間煎じられた時にこのマークへ到達する。
【００１７】
あるいは、少なくとも１つの可視マークは、分および／または秒の時間を示すこともできる。例えば、タイムスケールを表示することができる。好ましくは、幾つかのマークをストリップに付けることができる。こうした複数のマークは、例えば数分間表示することができる。これにより、本発明に係る時間測定装置は、様々な種類のお茶や他の用途に広く利用することができる。ストリップは、好ましくは時間測定装置の１０〜７０重量％の範囲の総重量を有する。
【００１８】
ストリップの縁は切れ目がない状態でなくてよい。ストリップの縁は、例えば刻み目を有してもよい。
【００１９】
シース
本発明に係るシースの厚さは、好ましくは、０．０１〜１ｍｍの範囲である。
【００２０】
シースの穴は、好ましくはストリップの縁に配置されるべきではなく、好ましくはストリップの縁から１ｍｍ、特に好ましくは少なくとも２ｍｍの最小間隔を有する。これにより、例えば、シースとストリップに存在し得る隙間において、お茶がストリップの縁以外の部分よりも、ストリップの縁で急速に上昇してしまうことを防止する。
【００２１】
本発明に係る時間測定装置のシースの穴は、好ましくは、本発明に係る時間測定装置の下縁から１〜２０ｍｍの間隔を有する。独立して、本発明に係る時間測定装置のシースの穴は、好ましくは、本発明に係る時間測定装置の下縁から該時間測定装置の長さの１〜２０％の間隔を有する。
【００２２】
少なくとも１つの穴の大きさは、好ましくはシース表面の０．０５〜１％の範囲である。全ての穴の総面積は、好ましくはシース表面の０．０７〜５％の範囲、特に好ましくは１〜３％の範囲である。
【００２３】
少なくとも１つの穴は、好ましくはシースの下半部に配置される。好ましくは、本発明に係る時間測定装置のシースの上半部に穴は無い。
【００２４】
原則的に、穴は円形等任意の幾何学形状を有することができる。好ましくは、シースは厳密に１つの穴を有する。
【００２５】
本発明に係る時間測定装置は、好ましくはスペーサを有さない。スペーサにより、ストリップとシースとの間に隙間ができる場合があり、これにより上昇行為に悪影響が生じるという不利益がある。
【００２６】
好ましくは、シースの穴には、使用前に取り外すべき蓋は無い。あるいは、穴も被覆することができる。蓋は使用前に取り外すことができるように一時的なものでよい。時間測定装置は、シースに加えて、好ましくは、例えばプラスチック箔製の被覆物で包装することもできる。これにより、使用前の輸送中に衛生上の保護を保証するという利益がある。
【００２７】
シースは、好ましくはシースの少なくとも前側が透明であり、好ましくは印刷されていない。
【００２８】
シースは、好ましくは食品認可されたプラスチックおよび／または食品として安全なプラスチックから成る。特に好ましくは、シースはセルロース、ポリスチレンまたはメラミン樹脂から成る。
【００２９】
シースは、好ましくは時間測定装置の１０〜７０重量％の範囲の総重量を有する。
【００３０】
ストリップとシースの重量比は、好ましくは４：１〜１：４の範囲である。
【００３１】
染料
本発明に係る染料は、ヒトに見える染料とすることができるが、初めはヒトには見えず、上昇するお茶等、別の物質と接触した時点でのみ見えるようになる染料とすることもできる。例えば、染料はｐＨ指示薬染料とすることができる。
【００３２】
好ましくは、本発明の時間測定装置は、１つの単一染料のみを備える。単一染料は、時間を表示するのに完全に十分である。染料数が少なければ、食品としての認可が得られ易くなる。染料は、特に好ましくは食品着色料である。
【００３３】
染料は、好ましくは水溶性である。これにより、ストリップ内で上昇するお茶と共に染料が移動することができるという利益がある。
【００３４】
水分中の染料の保持率（“retention factor”）（Ｒｆ値は、遅延フロント“retarding front”またはフロントに対する相対値(“relate to front”)ともいう）は、好ましくは、０．８〜１の範囲である。これには、お茶が上昇する際に、染料の明白な線が見てとれるという特別な利点がある。染料は、好ましくは親水性である。このことに関係なく、染料は、好ましくはアルカリ塩またはアルカリ土属塩として利用可能である。 
【００３５】
好ましくは、染料はアゾ染料、特に好ましくはアゾルビン（Ｅ１２２）、コチニールレッドＡ（Ｅ１２４）またはアルラレッドＡＣ（Ｅ１２９）から選択される。好ましくは、染料は（紫外線等の）補助剤無しにヒトが可視可能である。染料は、好ましくはストリップの下半部のみに、またはストリップの上半部のみに塗布される。
【００３６】
染料は、好ましくはストリップ表面の５０％以下に対してのみに、特に好ましくはストリップ表面の１０％以下に対してのみに、特に好ましくはストリップ表面の５％以下に対してのみに塗布される。
【００３７】
染料は、好ましくはストリップの前面のみに塗布される。
【００３８】
好ましくは、染料は、ストリップの前側の表面の１〜１０％の範囲で該ストリップの前側に塗布される。
【００３９】
好ましくは、染料はシースの穴の高さにおいて、またはシースの穴よりも上でストリップに塗布される。染料は、好ましくは、(ストリップの長さに対して)下部２０％以内に、特に好ましくは、ストリップの下部１０％以内に塗布される。特に好ましくは、ストリップの上部２０％、より好ましくはストリップの上部８０％において、ストリップに染料は塗布されない。このことにより、毛管力によって上昇するお茶は、ストリップの上側へと染料を移動させ、それにより、染料がストリップにおけるお茶の上昇する高さを示すことができる。ある高さに達した時に、例えば、所定時間お茶が煎じられたことを使用者に示すマークがストリップに付けられてよい。好ましくは、染料はストリップの縁から少なくとも１ｍｍ、特に好ましくは２ｍｍの距離を置いてストリップに付けられる。
【００４０】
例えば、染料はリトマス等のｐＨ指示薬とすることができる。染料がｐＨ指示薬の場合、この時染料は、好ましくはストリップの上部７０％、特に好ましくはストリップの上半分に塗布される。特に、お茶を煎じるべき時間の終了を示すマークは、この染料を用いてストリップ上に印される。例えば、本発明に係る時間測定装置は、その下端部を新しく淹れたお茶に入れると、お茶が穴を通って吸収剤に到達する。毛管力により、例えば、お茶の液体がストリップを上昇する。これには幾らか時間がかかる。各お茶は、最適に煎じるべき一定の時間を有する。従って、ストリップは、好ましくは、例えば染料や、特にｐＨ指示薬を用いて、最適な時間に一致するストリップの高さにマークが印される。お茶は酸性であるので、マークに到達するとマークの色は変化し、使用者は最適な時間が経ったのだと分かる。
【００４１】
好ましくは、本発明の時間測定装置は０．０００１〜１重量％の範囲、特に好ましくは、０．０００１〜０．０５重量％の範囲の染料を備える。
【００４２】
一般的特徴
一染料または複数染料以外の追加試薬または補助試薬の量は、好ましくは１重量％未満である。好ましくは、本発明に係る時間測定装置は、一染料または複数染料以外の試薬または補助試薬を何も有さない。こうした付加的な試薬が無くても時間の特定は可能である。さらに、他の試薬量は少ないほうが食品分野で認可され易い。
【００４３】
特に、本発明に係る時間測定装置は、何らアルコールを含まず、特にエチルアルコールは全く含まない。好ましくは、本発明に係る時間測定装置の全ての構成要素は、食品として安全且つ／或いは食品との接触が認可されている。
【００４４】
本発明の時間測定装置は、好ましくはイオン交換器を有さない。
【００４５】
新規な時間測定装置は、ティーバッグ、茶濾器またはティーバッグの包装であっても一体化することができる。
【００４６】
本発明の時間測定装置は、好ましくは可撓性である。特に、本発明の時間測定装置は、ティーバックの紐の代わりとすることができる。
【００４７】
茶パック
更なる実施形態において、本発明の根底となる課題は、本発明に係る少なくとも１つの時間測定装置を備える茶パックにより解決される。
【００４８】
本発明の意味における茶パックは、ティーバッグ、茶濾器もしくはスティック、またはティーバッグ用の紙製箱、袋もしくは箱とすることができる。
【００４９】
方法
更なる実施形態において、本発明の根底となる課題は、本発明に係る時間測定装置の下端部が液体に浸漬されることを特徴とする時間測定方法によって解決される。
【００５０】
好ましくは、時間測定装置は、時間測定装置の長さのうち上端部側の少なくとも１０％が液体から突き出るように液体に浸漬される。本発明に係る時間測定装置が方法の間、総表面積が最大で９０％、特に好ましくは最大で７０％まで液体に浸漬されることが好ましい。これにより、本発明に係る時間測定装置を容易にお茶から取り出すことができる。
【００５１】
染料により示される上昇する高さは、例えば液体表面下で読み取ることもできる。
【００５２】
好ましくは、本発明に係る時間測定装置の少なくとも１つの染料は、好ましくは、ストリップ内で上昇する液体により移動する。
【００５３】
本発明に係る方法では、吸収材は、好ましくは方法の開始時では液体によって完全に濡れているわけではない。別の方法では、例えば、お茶等の液体は、例えばストリップ内を上昇せず、且つ染料を移動させない。
【００５４】
本発明に係る方法では、液体が流れる方向は、好ましくはストリップの下端部からストリップの上端部、すなわち、流れは厳密に一定方向である。
【００５５】
例えば、お茶等の液体の毛管力による流体流れは、好ましくは本発明に係る方法の間に停止または中断しない。
【００５６】
液体は、好ましくは９５〜１００重量％の範囲、特に９９〜１００重量％の範囲の含水量を有する。
【００５７】
好ましくは、液体は新しく淹れたお茶である。
【００５８】
本発明の更なる実施形態および利益を、図面を関連させて以下に記載するが、これらは特許請求の範囲の保護範囲を限定するものではない。
【図面の簡単な説明】
【００５９】
【図１】本発明に係る時間測定装置の平面図を示す図である。
【図２】本発明の時間測定装置の側面図を示す図である。
【発明を実施するための形態】
【００６０】
図１において時間測定装置１０が示される。ストリップ１２はシース１４で包装されている。シース１４は下半部２４に穴１６を有し、該穴を通って例えばお茶がストリップ１２に上り、次いでストリップ１２内を上昇することができる。次いで、お茶は、毛管力に起因する上昇途中で、下半部２４に塗布された染料１８の少なくとも一部を上半部２２に向かって上方へと持っていく。染料１８を伴うお茶がマーク３０に到達すると、使用者はお茶が最適な時間の間煎じられたことを知り、ティーバッグと時間測定装置をカップから取り出すことができる。
【００６１】
実施例
１×１５ｃｍの標準的な吸取り紙のストリップに対し、該ストリップの下端部から２ｃｍの距離に０．１ｍｌのアゾルビン染料をストリップの中央に塗布した。次いで、ストリップを厚み０．５ｍｍのポリスチレン箔の薄片に切り、ストリップの中央且つ下端部から１ｃｍの位置に穴が配置されるように、薄片に４ｍｍサイズの円形穴を開けた。ストリップには上端部から約２ｃｍの位置に、鉛筆で予め印を付けた。その後、ペパーミント茶で一杯のお茶を淹れ、ティーバッグを浸す際に、時間測定装置も下端部をカップ内に浸し、上端部はお茶の液体から突き出るようにした。お茶は穴を通って吸取り紙に吸収され、毛管力により、該吸取り紙を通って時間測定装置の上端部に向かって上方へと移動した。同時に、アゾルビン染料がお茶に溶解し、同じ方向に移動した。ある時点で、アゾルビン染料は鉛筆のマークに到達し、ティーバッグと時間測定装置を一杯のお茶から取り出した。
【００６２】
本明細書、図面および特許請求の範囲で開示した本発明の特徴は、様々な実施形態で、個別でも任意の組み合わせでも本発明の実現に必須であろう。本発明は記載した実施形態に限定されない。本発明は特許請求の範囲内で、且つ当業者の知識を考慮して変更することができる。
【符号の説明】
【００６３】
１０    時間測定装置
１２    ストリップ
１４    シース
１６    穴
１８    染料
２０    前面
２２    上半部
２４    下半部
２６    下端部
２８    上端部
３０    マーク
【図１】
2018522254.tif 000003
【図２】
2018522254.tif 000004
【国際調査報告】
2018522254.tif 000005
2018522254.tif 000006
2018522254.tif 000007
2018522254.tif 000008
2018522254.tif 000009
2018522254.tif 000010